(57)【要約】【課題】複数のエリアに設置された各設備の監視、更には操作に際して、設備ごとに表示盤や操作盤等の機器を設置する必要をなくし、しかも、現場での操作性を高める。【解決手段】設備監視システムは、複数の設備Ａ〜Ｎの状態を認識し、各設備Ａ〜Ｎを遠隔操作することのできるサーバコンピュータ３０と、バーコードリーダ１０ｂ、ディスプレイ１０ａ、及びサーバコンピュータ３０との通信手段を有するＰＤＡ１０とを備える。ＰＤＡ１０のバーコードリーダ１０ｂで所望の設備付近にあるバーコードを読み取って、そのバーコードデータをサーバコンピュータ３０に送信する。サーバコンピュータ３０では、受信したバーコードデータに基づいて設備を特定し、当該所望の設備の状態に関する情報をＰＤＡ１０に転送してディスプレイ１０ａに表示する。【選択図】      図１
2004234229.tif 000002
【特許請求の範囲】
【請求項１】
少なくとも一つの設備の状態を認識し、該設備を遠隔操作することのできる制御装置と、バーコードリーダ、表示手段、及び上記制御装置との通信手段を有する携帯情報機器とを備えた設備監視システムであって、
上記携帯情報機器のバーコードリーダで所望の設備付近にある第１のバーコードを読み取ることにより、その所望の設備の状態に関する情報が上記制御装置から上記携帯情報機器に転送されて上記表示手段に表示される構成にしたことを特徴とする設備監視システム。
【請求項２】
上記携帯情報機器のバーコードリーダで所望の設備付近にある第２のバーコードを読み取ることにより、その所望の設備に対する所定操作が上記制御装置を介して実行される構成にしたことを特徴とする請求項１に記載の設備監視システム。
【請求項３】
上記携帯情報機器のバーコードリーダで上記第２のバーコードを読み取ると、上記表示手段に確認のための表示がなされ、同一の第２のバーコードを再度読み取ることにより、上記所定操作が上記制御装置を介して実行されることを特徴とする請求項２に記載の設備監視システム。
【請求項４】
上記携帯情報機器はＰＤＡであることを特徴とする請求項１〜３のいずれか１項に記載の設備監視システム。
【請求項５】
少なくとも一つの設備の状態を認識し、該設備を遠隔操作することのできる制御装置であって、
外部からバーコードを読み取って送信されたバーコードデータを受信するバーコードデータ受信手段と、
上記受信したバーコードデータがいずれかの設備を特定するものとして定義されたデータを表す場合、その設備の状態に関する情報を上記バーコードデータの送信元に転送する設備状態情報転送手段とを備えたことを特徴とする制御装置。
【請求項６】
上記受信したバーコードデータが所定操作するものとして定義されたデータを表す場合、上記所定操作を実行することを特徴とする請求項５に記載の制御装置。
【請求項７】
設備を特定するものとして定義されたデータを表す第１のバーコードと、その設備を所定操作するものとして定義されたデータを表す第２のバーコードとが記録されていることを特徴とするバーコードシート。
【請求項８】
上記第１のバーコードの近傍には設備名が、上記第２のバーコードの近傍には操作名がそれぞれ併記されていることを特徴とする請求項７に記載のバーコードシート。
【請求項９】
少なくとも一つの設備の状態を認識し、該設備を遠隔操作する処理をコンピュータに実行させるコンピュータプログラムであって、
外部からバーコードを読み取って送信されたバーコードデータを受信するバーコードデータ受信処理と、
上記受信したバーコードデータがいずれかの設備を特定するものとして定義されたデータを表す場合、その設備の状態に関する情報を上記バーコードデータの送信元に転送する設備状態情報転送処理とを実行させることを特徴とするコンピュータプログラム。
【請求項１０】
請求項９に記載のコンピュータプログラムを格納したことを特徴とするコンピュータ読み取り可能な記憶媒体。
【発明の詳細な説明】
【０００１】
【発明の属する技術分野】
本発明は、バーコードを利用して設備を監視し、更には操作可能とする設備監視システム、制御装置、バーコードシート、コンピュータプログラム、及びコンピュータ読み取り可能な記憶媒体に関する。
【０００２】
【従来の技術】
従来、図９に示すように、複数のエリアに設置された生産設備等の設備Ａ〜Ｎの監視及び操作のために、各設備Ａ〜Ｎ付近には、ランプやＰＢＬ（ボタン）を用いて構成された表示盤１０１や操作盤１０２がそれぞれ設置されている。作業員は、所望のエリアにて、表示盤１０１や操作盤１０２を用いて当該エリアの設備を監視し、運転の開始や停止等の操作を行う。
【０００３】
【発明が解決しようとする課題】
しかしながら、表示盤１０１や操作盤１０２は、員数や用途によって個別に設計、製作されているのが実情である。そのため、特注品となり高価となるとともに、ランプやＰＢＬごとに配線等が必要となるため工事費用も高くなってしまうといった問題があった。
【０００４】
また、設備の増設、各設備Ａ〜Ｎの表示盤１０１や操作盤１０２といった機器の増設に備えて、予備のランプやＰＢＬ、配線等を準備しておく必要性があり、更には機器の割付変更等の場合は盤の改造、配線変更等に大きなコスト及び労力がかかるだけでなく、改造の間は当該設備の休止が余儀なくされてしまうという問題があった。
【０００５】
また、表示盤１０１や操作盤１０２は誤操作防止等の観点から各設備Ａ〜Ｎ付近に設置する必要があり、必然的に現場設置となるため粉塵や雨等の周辺環境の影響を受けやすく、周辺環境によっては故障が生じやすくなるといった問題があった。
【０００６】
さらに、現場での操作が必要となるので、手袋をはめた作業員が操作しやすいよう操作性を高めることが強く要求される。
【０００７】
本発明は上記の点に鑑みてなされたものであり、複数のエリアに設置された各設備の監視、更には操作に際して、設備ごとに表示盤や操作盤等の機器を設置する必要をなくし、しかも、現場での操作性を高めることを目的とする。
【０００８】
【課題を解決するための手段】
本発明の設備監視システムは、少なくとも一つの設備の状態を認識し、該設備を遠隔操作することのできる制御装置と、バーコードリーダ、表示手段、及び上記制御装置との通信手段を有する携帯情報機器とを備えた設備監視システムであって、上記携帯情報機器のバーコードリーダで所望の設備付近にある第１のバーコードを読み取ることにより、その所望の設備の状態に関する情報が上記制御装置から上記携帯情報機器に転送されて上記表示手段に表示される構成にした点に特徴を有する。
【０００９】
また、本発明の設備監視システムの他の特徴とするところは、上記携帯情報機器のバーコードリーダで所望の設備付近にある第２のバーコードを読み取ることにより、その所望の設備に対する所定操作が上記制御装置を介して実行される構成にした点にある。
【００１０】
また、本発明の設備監視システムの他の特徴とするところは、上記携帯情報機器のバーコードリーダで上記第２のバーコードを読み取ると、上記表示手段に確認のための表示がなされ、同一の第２のバーコードを再度読み取ることにより、上記所定操作が上記制御装置を介して実行される点にある。
【００１１】
また、本発明の設備監視システムの他の特徴とするところは、上記携帯情報機器はＰＤＡである点にある。
【００１２】
本発明の制御装置は、少なくとも一つの設備の状態を認識し、該設備を遠隔操作することのできる制御装置であって、外部からバーコードを読み取って送信されたバーコードデータを受信するバーコードデータ受信手段と、上記受信したバーコードデータがいずれかの設備を特定するものとして定義されたデータを表す場合、その設備の状態に関する情報を上記バーコードデータの送信元に転送する設備状態情報転送手段とを備えた点に特徴を有する。
【００１３】
また、本発明の制御装置の他の特徴とするところは、上記受信したバーコードデータが所定操作するものとして定義されたデータを表す場合、上記所定操作を実行する点にある。
【００１４】
本発明のバーコードシートは、設備を特定するものとして定義されたデータを表す第１のバーコードと、その設備を所定操作するものとして定義されたデータを表す第２のバーコードとが記録されている点に特徴を有する。
【００１５】
また、本発明のバーコードシートの他の特徴とするところは、上記第１のバーコードの近傍には設備名が、上記第２のバーコードの近傍には操作名がそれぞれ併記されている点にある。
【００１６】
本発明のコンピュータプログラムは、少なくとも一つの設備の状態を認識し、該設備を遠隔操作する処理をコンピュータに実行させるコンピュータプログラムであって、外部からバーコードを読み取って送信されたバーコードデータを受信するバーコードデータ受信処理と、上記受信したバーコードデータがいずれかの設備を特定するものとして定義されたデータを表す場合、その設備の状態に関する情報を上記バーコードデータの送信元に転送する設備状態情報転送処理とを実行させる点に特徴を有する。
【００１７】
本発明のコンピュータ読み取り可能な記憶媒体は、上記本発明のコンピュータプログラムを格納した点に特徴を有する。
【００１８】
【発明の実施の形態】
以下、図面を参照して、本発明による設備監視システム、制御装置、バーコードシート、コンピュータプログラム、及びコンピュータ読み取り可能な記憶媒体の好適な実施の形態について説明する。
【００１９】
図１には、本実施の形態に係る設備監視システムの全体構成を示す。本実施の形態の設備監視システムは、バーコードを利用して、複数のエリアに設置された生産設備等の各設備Ａ〜Ｎを監視し、更には操作可能としたものである。
【００２０】
１０はディスプレイ１０ａを備えたＰＤＡ（Ｐｅｒｓｏｎａｌ  ｄｉｇｉｔａｌ  ａｓｓｉｓｔａｎｔｓ）であり、アンテナ６０を介してサーバコンピュータ３０と無線通信を行うことができる。また、ＰＤＡ１０は、バーコードを読み取るためのバーコードリーダ１０ｂを備える。バーコードリーダ１０ｂは、バーコードに光を当てて、反射した光を読み取って電気信号に変換するものである。本実施の形態においては、ＰＤＡ１０が本発明でいう携帯情報機器に相当する。
【００２１】
２０Ａ〜２０Ｎは設備制御装置であり、複数のエリアに設置された各設備Ａ〜Ｎをそれぞれ制御する。各設備制御装置２０Ａ〜２０Ｎは、設備の状態をサーバコンピュータ３０に通知する設備状態通知部２１と、サーバコンピュータ３０からの操作指示に基づいて設備の状態を変更する設備状態変更部２２とを備える。
【００２２】
３０はサーバコンピュータであり、ＰＤＡ１０との無線通信を可能とするアンテナ６０や、各設備制御装置２０Ａ〜２０Ｎと、イーサネット（Ｒ）等のネットワーク４０を介して接続する。本実施の形態においては、サーバコンピュータ３０が本発明でいう制御装置に相当する。
【００２３】
サーバコンピュータ３０において、３１はＰＤＡ通信処理部であり、ＰＤＡ１０から送信されるバーコードデータを受信したり、各設備Ａ〜Ｎの状態に関する情報をＰＤＡ１０に転送したりする。図６には、サーバコンピュータ３０のディスプレイ装置に表示されるＰＤＡ端末管理画面の一例を示す。同図に示すように、サーバコンピュータ３０ではＰＤＡ名とそのＩＰアドレスとが関連付けられた状態で管理されている。
【００２４】
３２は設備制御装置通信処理部であり、各設備制御装置２０Ａ〜２０Ｎに設備Ａ〜Ｎの状態を問い合わせたり、設備Ａ〜Ｎの状態を変更するための操作指示を出したりする。
【００２５】
３３はバーコードデータ設定部であり、各設備Ａ〜Ｎを特定するものとして定義された文字列（アルファベットや数値の列）等のデータが設定されている。図７には、サーバコンピュータ３０のディスプレイ装置に表示されるバーコード管理画面の一例を示す。同図に示す例では、「１番ピット冷却ファン」という設備を特定するものとして「ＸＸＫＡＮＫＩＦＡＮ１Ｙ」という文字列が定義されており、そのデータがバーコードデータ設定部３３に設定される。
【００２６】
また、バーコード設定部３３には、設備Ａ〜Ｎごとに所定操作するものとして定義された文字列等のデータが設定されている。例えば、ある設備について、「運転の開始」を意味するものとして適当な文字列等のデータが定義され、「運転の停止」を意味するものとして適当な文字列等のデータが定義されており、それらデータがバーコードデータ設定部３３に設定される。
【００２７】
５０Ａ〜５０Ｎはバーコードシートであり、例えば各設備Ａ〜Ｎ付近に貼付される。図２に示すように、各バーコードシート５０Ａ〜５０Ｎには、設備名５１とバーコード５２とが併記されている。例えば、「１番ピット冷却ファン」という設備にあっては、設備名「１番ピット冷却ファン」と、その設備を特定するものとして定義された「ＸＸＫＡＮＫＩＦＡＮ１Ｙ」という文字列を表すバーコードとが併記されている。
【００２８】
また、各バーコードシート５０Ａ〜５０Ｎには、操作名５３とバーコード５４とが併記されている。例えば、「運転の開始」という操作名と、その操作を意味するものとして定義された文字列を表すバーコードとが併記されている。また、「運転の停止」という操作名と、その操作を意味するものとして定義された文字列を表すバーコードとが併記されている。もちろん、「運転の開始」や「運転の停止」以外にも、設備ごとに各種操作についてバーコード化してもよい。
【００２９】
その他、各バーコードシート５０Ａ〜５０Ｎには、「キャンセル」という文字５５と、キャンセルを意味するものとして定義された文字列を表すバーコード５６とが併記されている。
【００３０】
なお、バーコードシート５０Ａ〜５０Ｎは各設備Ａ〜Ｎ付近に配置（現場設置）されることから、キズ防止等のためにコーティングしたり、手袋で拭くだけで簡単に汚れを落とせる素材を用いたりするのが望ましい。
【００３１】
以下、図３〜５を参照して、上記設備監視システムにおける処理動作について説明する。
【００３２】
作業員は、所望のエリアにて当該エリアに設置された設備の監視及び操作を行う場合、例えば設備Ａの監視及び操作を行う場合、ＰＤＡ１０からサーバコンピュータ３０にログインした状態で、図３に示すように、ＰＤＡ１０のバーコードリーダ１０ｂで設備名５１近傍のバーコード５２を読み取る。ＰＤＡ１０は、バーコード５２を読み取って得られたバーコードデータをサーバコンピュータ３０に送信する。
【００３３】
サーバコンピュータ３０では、ＰＤＡ１０から送信されるバーコードデータを受信したならば、そのバーコードデータが表す文字列を認識し、バーコードデータ設定部３３に設定されている文字列を参照して、設備Ａであることを認識する。そして、設備制御装置２０Ａに問い合わせて設備Ａの状態を認識し、その設備Ａの状態に関する情報をバーコードデータの送信元であるＰＤＡ１０に転送して、ＰＤＡ１０のディスプレイ１０ａに表示する。図３に示す例では、設備Ａの操作が可能であることを示す「操作可」という表示７１がなされ、設備Ａが現在停止中であることを示すように「停止」の表示７２が明るくなっている。
【００３４】
図３に示す状態で、設備Ａの運転を開始したい場合は、図４に示すように、ＰＤＡ１０のバーコードリーダ１０ｂで「運転の開始」という操作名５３近傍のバーコード５４を読み取る。ＰＤＡ１０は、バーコード５４を読み取って得られたバーコードデータをサーバコンピュータ３０に送信する。
【００３５】
サーバコンピュータ３０では、ＰＤＡ１０から送信されるバーコードデータを受信したならば、そのバーコードデータで表される文字列を認識し、バーコードデータ設定部３３に設定された文字列を参照して、「運転の開始」が指示されたことを認識する。このとき、まずＰＤＡ１０のディスプレイ１０ａに、「運転に変更しますか？」というメッセージと「ＯＫ」及び「キャンセル」というボタンとを有する確認のためのダイアログボックス７３を表示する。
【００３６】
「ＯＫ」の場合、図５に示すように、ＰＤＡ１０のバーコードリーダ１０ｂで同一のバーコード、すなわち「運転の開始」という操作名５３近傍のバーコード５４を再度読み取る。ＰＤＡ１０は、バーコード５４を読み取って得られたバーコードデータをサーバコンピュータ３０に送信する。
【００３７】
サーバコンピュータ３０では、ＰＤＡ１０から送信されるバーコードデータを受信し、そのバーコードデータで表される文字列が前回送信された文字列と同じであると確認したならば、設備Ａの設備制御装置２０Ａに対して「運転の開始」を指示する。
【００３８】
また、ＰＤＡ１０のディスプレイ１０ａには、「設定を受け付けました」という旨のメッセージ７４を表示し、運転が開始されたことを示すように「停止」の表示７２を暗くするとともに「運転」の表示７５を明るくする。
【００３９】
このように、操作に際しては、同一のバーコードを２回読み取ることにより操作が実行されるようにしたので、誤操作を確実に防止することができる。また、バーコードの一致性を確認した上で操作の実行に移るので、例えばバーコードの読み取り不具合や通信の不具合（特に無線通信の場合）による誤動作を確実に防止することができる。
【００４０】
なお、図４に示す状態で「運転の開始」をキャンセルしたい場合は、ＰＤＡ１０のバーコードリーダ１０ｂで「キャンセル」という文字５５近傍のバーコード５６を読み取ればよい。
【００４１】
上述したバーコード以外にも、例えばログイン用のバーコードやログアウト用のバーコードを定義してもよい。現場での操作となるので、ＰＤＡ１０のボタン操作やスタイラスペン操作、キー入力等を可能な限り省略し、バーコードの読み取りだけで多様な機能を実現できるようにすることが望ましい。
【００４２】
以上述べた設備監視システムでは、複数の設備Ａ〜Ｎの状態を認識し、各設備Ａ〜Ｎを遠隔操作することのできる制御装置を設けるとともに、ＰＤＡ１０で従来の表示盤１０１や操作盤１０２の機能を代替することができるようにしたので、表示盤１０１や操作盤１０２を員数や用途によって個別に設計、製作する必要がなくなり、コストダウンを図ることができる。
【００４３】
また、設備の増設等の場合でも、バーコードを新たに追加するとともに、サーバコンピュータ３０における設定内容を新規追加等していけばよいので、大きなコスト及び労力がかかるのを避けることができる。特に、ＰＤＡ側の汎用ブラウザを利用し、すべての処理をサーバコンピュータ３０でのＷｅｂ処理によって実行可能とすることにより、端末の依存性を排除し、増設や変更への対応性を向上させることができる。
【００４４】
また、表示盤１０１や操作盤１０２を現場設置する必要がなくなるので、これら機器が粉塵や雨等の周辺環境の影響を受けて故障が生じやすくなるといった問題も解消される。
【００４５】
さらに、現場でバーコードを読み取っていくだけの簡単な操作で、手袋をはめた作業員でも容易に設備の監視及び操作を行うことができる。なお、バーコードとしては独自のものを用いてもよいが、規格に従ったものを用いれば、特別なバーコードリーダを用意する必要はなく、市販されているものをそのまま利用することができる。
【００４６】
図８は、本発明でいう制御装置を構成可能なコンピュータシステムの内部構成の一例を示すブロック図である。図８において、１２００はコンピュータＰＣである。コンピュータ１２００は、ＣＰＵ１２０１と、ＲＯＭ１２０２と、ＲＡＭ１２０３と、キーボード（ＫＢ）１２０９のキーボードコントローラ（ＫＢＣ）１２０５と、表示部としてのＣＲＴディスプレイ（ＣＲＴ）１２１０のＣＲＴコントローラ（ＣＲＴＣ）１２０６と、ハードディスク（ＨＤ）１２１１及びフレキシブルディスク（ＦＤ）１２１２のディスクコントローラ（ＤＫＣ）１２０７と、ネットワーク１２２０との接続のためのネットワークインターフェースコントローラ（ＮＩＣ）１２０８等がシステムバス１２０４を介して互いに通信可能に接続された構成としている。
【００４７】
ＣＰＵ１２０１は、ＲＯＭ１２０２或いはＨＤ１２１１に記憶されたソフトウェア、或いはＦＤ１２１２より供給されるソフトウェアを実行することで、システムバス１２０４に接続された各構成部を総括的に制御する。すなわち、ＣＰＵ１２０１は、所定の処理シーケンスに従った処理プログラムを、ＲＯＭ１２０２、或いはＨＤ１２１１、或いはＦＤ１２１２から読み出して実行することで、上記本実施の形態での動作を実現するための制御を行うことになり、これらＣＰＵ１２０１等が本発明でいう各手段を構成するものである。
【００４８】
（他の実施の形態）
以上説明した制御装置は、コンピュータのＣＰＵ或いはＭＰＵ、ＲＡＭ、ＲＯＭ、ＲＡＭ等で構成されるものであり、上述のようにＲＡＭやＲＯＭ等に記憶されたプログラムが動作することによって実現される。
【００４９】
したがって、プログラム自体が上述した実施の形態の機能を実現することになり、本発明を構成する。プログラムの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００５０】
さらに、上記プログラムをコンピュータに供給するための手段、例えばかかるプログラムを格納した記憶媒体は本発明を構成する。かかる記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５１】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【００５２】
【発明の効果】
以上述べたように本発明によれば、ＰＤＡ等の携帯情報機器で表示盤や操作盤の機能を代替することができるので、設備ごとに表示盤や操作盤等の機器を設置する必要がなくなり、コストダウンを図ることができる。しかも、現場でバーコードを読み取っていくだけの簡単な操作で、設備の監視、更には設備に対する操作を行うことができ、操作性を高めることができる。
【図面の簡単な説明】
【図１】本実施の形態に係る設備監視システムの全体構成を示す図である。
【図２】バーコードシートを示す図である。
【図３】ＰＤＡのバーコードリーダでバーコードを読み取っている状態を示す図である。
【図４】ＰＤＡのバーコードリーダでバーコードを読み取っている状態を示す図である。
【図５】ＰＤＡのバーコードリーダでバーコードを読み取っている状態を示す図である。
【図６】ＰＤＡ端末管理画面の一例を示す図である。
【図７】バーコード管理画面の一例を示す図である。
【図８】本発明でいう制御装置を構成可能なコンピュータシステムの内部構成の一例を示すブロック図である。
【図９】複数のエリアに設置された生産設備等の設備Ａ〜Ｎと、各設備Ａ〜Ｎ付近に設置された表示盤１０１や操作盤１０２とを示す図である。
【符号の説明】
１０              ＰＤＡ
１０ａ            ディスプレイ
１０ｂ            バーコードリーダ
２０Ａ〜２０Ｎ    設備制御部
２１              設備状態通知部
２２              設備状態変更部
３０              サーバコンピュータ
３１              ＰＤＡ通信処理部
３２              設備制御装置通信処理部
３３              バーコードデータ設定部
４０              ネットワーク
５０Ａ〜５０Ｎ    バーコードシート
５２、５４、５６  バーコード
６０              アンテナ
【図１】
2004234229.tif 000003
【図２】
2004234229.tif 000004
【図３】
2004234229.tif 000005
【図４】
2004234229.tif 000006
【図５】
2004234229.tif 000007
【図６】
2004234229.tif 000008
【図７】
2004234229.tif 000009
【図８】
2004234229.tif 000010
【図９】
2004234229.tif 000011